(57)【特許請求の範囲】
【請求項１】
和式便器（２０）の前面の壁に取り付ける上部から中央部に向けて穿設した長孔（１１）を有する一対の前支柱（２）と、該和式便器（２０）の尻端部（２２）の近傍に立脚する中央部から下部に向けて穿設した長孔（１２）を有する一対の後支柱（３）間の両側に、連結棒（５）・（６）・（７）・（８）・（９）・（１０）からなる前後方向に伸縮自在の菱形リンク状に組立形成して成る便座取付部材（４）を配設するととも、前記連結棒（５）の一端（５ａ）を前支柱（２）の長孔（１１）内に、連結棒（９）の一端（９ａ）を後支柱（３）の長孔（１２）内を上下に摺動可能にそれぞれ配設し、前記便座取付部材（４）の上面に、折り畳み可能に形成した便座（１３）を取り付けたことを特徴とする和式便所のための簡易洋式便器。
【発明の詳細な説明】
【０００１】
【発明の属する技術分野】
この発明は和式便所を、和式の他に洋式の便所としても使用することができる簡易洋式便座及び、水洗式トイレにおいて緊急時に水道の供給が止まり、水洗装置が使用できなくなった場合にも使用することができる便器に関するものである。
【０００２】
【従来の技術】
従来の和式便所の便器は、洋式便器と異なり丈が低い上に、床面と同一面となる高さで床面に埋め込まれ、設置されている。
【０００３】
【発明が解決しようとする課題】
この和式スタイル便所での使用は、腰を落としてしゃがみ込む形なので、膝や腰に負担がかかり、老人や足腰の悪い身障者などにとっては苦痛である。
従って、便器の丈が高くしゃがみ込む必要がない、楽な姿勢で用が足せる洋式スタイルの便所を利用する人が多くなっている。
【０００４】
しかしながら、劇場・百貨店その他人出の多い場所で用を足したくなった場合に、必ずしも洋式スタイルの便所を使用することができるとは限ず、やむおえず、和式スタイルの便所を使用することになると、老人や足腰の悪い身障者などにとっては苦痛となる問題がある。
また、従来の水洗式トイレは、災害その他の原因で水の供給が止まり、水洗装置を使用することができなくなると用を足せなくなる問題がある。
【０００５】
【課題を解決するための手段】
この発明は上述の課題を解決するために、和式便器の前面の壁面に取り付ける一対の前支柱と、該和式便器の尻端部の近傍に立脚する一対の後支柱間の両側に、連結棒を前後方向に伸縮自在の菱形リンク状に組み立て形成して成る便座取付部材を、それぞれ配設するとともに、該便座取付部材の上面に折り畳み可能に形成した便座を取り付けた和式便所のための簡易洋式便器としたことである。
【０００６】
この発明は上記のとおりであるから、使用時に和式便器の金隠しの前面の壁面に折り畳み収納されていた後支柱を引き出し、和式便器の尻端部の近傍まで引き出して後支柱を立てると、リンク状に組み立てた連結杆からなる便座取付部材上面の便座が、和式便器の上面に位置することになり、簡易洋式便器を形成することができる。
【０００７】
便座に下面を開放した筒状の水溶性用紙を取り付け便座に着座して用を足し、用済み後は、当該用紙を取り外しそのまま便器に流す。
【０００８】
用済み後は、便器便座を折り畳み、後支柱を前方に押すと、リンク状組み立てた連結杆の作用により壁面側に折り畳まれ収納されされる。便座を引き出さなければ、そのまま和式スタイルの便器として使用できる。
【０００９】
また、地震その他の災害が発生したと時に、水道が止まり水洗設備が使用できない時に、別途用意したし尿処理材を充填したし尿処理容器を、前記便座と和式便器間に配置することにより便所の使用が可能となる。
【００１０】
【発明の実施の形態】
この発明の実施の形態について図面を参照して説明する。
図１において、和式便器２０の前面（金隠し）側の壁面にアンカー止め１９などの固定手段により取り付ける一対の前支柱２と和式便器の後方の尻端部２２の近傍に立脚する後支柱３を形成する。
【００１１】
前支柱２と後支柱３の間に掛け渡す便座取付部材４は、連結棒５・６・７・８・９・１０のそれぞれの端部及び中央部を回動可能に枢着し、複数の連接した菱形リンクに形成した連結棒郡が、前後方向に伸縮自在の、いわゆる、蛇腹形式のマジックハンド状に形成されている。
上記連結棒５の一端５ａは前支柱２の上部から中央部に向けて穿設した長孔１１内を、連結棒９の一端９ａは後支柱３の中央から下部に向けて穿設した長孔１２内を上下に摺動可能に形成し、連結棒の上下長孔間の摺動により菱形リンクの伸縮を規制することができる。
【００１２】
一方、連結棒６の一端６ａは前支柱２に、連結棒１０の一端１０ａは後支柱３にそれぞれ取り付けられて、このように構成した便座取付部材４の上面に、便座１３を載置取り付けて簡易洋式便器１としたことである。
上記便座１３は蝶番１４により折り畳み可能に形成されている。
【００１３】
この発明は上記のとおりであるから、使用時に和式便器２０の金隠し２１の前面の壁面近くに収納されていた後支柱３を和式便器２０の尻端部２２の近傍まで移動させ立脚すると、蛇腹式マジックハンドのように折り畳み収納されている便座取付部材４が和式便器の上面まで引き出し、次に、二つに折り畳まれていた便座１３を起こすことにより、簡単に簡易洋式便器１を形成することができる。
なお、図中３ａはキャスター、２３は手摺である。
【００１４】
この洋式便器１を用いるときは、下面を開放した筒状の水溶性用紙１５を便座１３に取り付け取り付け便座１３に着座して用を足し、用済み後は当該用紙１５を取り外しそのまま便器に流す。
【００１５】
また、用済み後は便座１３を折り畳み、後支柱３を前方に押すと、菱形リンク状組み立てた連結棒５・６・７・８・９・１０の作用により和式便器の前面の前支柱の近くに折り畳まれ収納でき、また、後支柱３を引き出さなければ、そのまま和式スタイルの便所として使用できる。
【００１６】
また、地震その他の災害が発生し、水道が止まり水洗設備が使用できない時は、袋１７にし尿処理材１８を充填したし尿処理容器１６を、別途用意して置き、該し尿処理容器１６を前記便座１３と和式便器２０間に配置することにより便所の使用が可能となる。
【００１７】
【発明の効果】
この発明は上記のとおりであるから、和式スタイル便器を好む人はそのまま和式便所として使用でき、膝や腰に負担がかかり、老人や足腰の悪い身障者など膝や腰に負担がかかるのが苦痛で、洋式便所を使用したい人は、便器の前面にある後支柱を引き出し、便座をセットするだけで簡単に洋式便所として使用でき、便利である。
【００１８】
また、従来の水洗式トイレは、災害その他の原因で水の供給が止まり、水洗装置を使用することができない時でも、別途緊急用に用意したし尿処理剤を充填した容器を便座の下に配置することにより、便所の使用が可能で便利である。
【図面の簡単な説明】
【図１】この発明の簡易洋式便器の正面図である。
【図２】同上の 側面図である。
【図３】緊急用し尿処理容器の断面図である。
【符号の説明】
１  簡易洋式便器
２  前支柱
３  後支柱
３ａ  キャスター
４  便座取付部材
５  連結棒
５ａ  一端
６  連結棒
６ａ  一端
７  連結棒
８  連結棒
９  連結棒
９ａ  一端
１０  連結棒
１０ａ  一端
１１  長孔
１２  長孔
１３  便座
１４  蝶番
１５  水溶性用紙
１６  し尿処理容器
１７  袋
１８  し尿処理剤
２０  和式便器
２１  金隠し
２２  尻端部
２３  手摺
【図１】
0003735773.tif 000002
【図２】
0003735773.tif 000003
【図３】
0003735773.tif 000004